(57)【要約】【課題】個人的好みに特化したマニュアル設定によって写真を撮影するとき、電源投入し直すたびに、たとえば明るさ、ＡＥ、ＡＦ距離、フラッシュ発光量などの撮影条件に関する設定値を自動設定し、また複数の人が使用するとき各個人の撮像写真を識別し分別格納することができるカメラシステムを提供する。【解決手段】撮影者の網膜情報をファインダ２０４から駆動鏡２０２を介して固体撮像素子２０５へ取り込む経路を備えた構成とし、撮影者識別部２１８により網膜情報から撮影者を識別することで、各撮影者毎に所定のマニュアル設定値情報を外部メモリ２１９に格納し、次回のカメラ起動時に、各撮影者毎のマニュアル設定値の自動設定機能や、各撮影者毎の固有フォルダの作成による当該撮影者のファイル管理機能を実現する。【選択図】図２
2007189470.tif 000002
【特許請求の範囲】
【請求項１】
水平垂直方向に配列された複数の画素を有する固体撮像素子により、被写体からの光を電気的な撮像信号に変換し、その撮像信号を基に前記被写体に対応する画像データを生成して記録するカメラシステムであって、
前記被写体からの光を撮影者が目視により確認可能とするとともに前記撮影者の網膜情報を有する光を取り込むファインダと、
前記被写体からの光を前記固体撮像素子へ入射させる第１の経路または前記ファインダから取り込んだ前記撮影者の網膜情報を有する光を前記固体撮像素子へ入射させる第２の経路を切り替える経路切り替え手段と、
前記経路切り替え手段の切り替えにより、前記撮影者の網膜情報を有する光に対応して前記固体撮像素子から得られた画像データに基づいて、前記撮影者を識別する撮影者識別手段とを備えた
ことを特徴とするカメラシステム。
【請求項２】
前記第２の経路における前記ファインダから前記経路切り替え手段の間に、
前記ファインダからの前記撮影者の網膜情報を有する光をフォーカス制御して前記固体撮像素子へ入射させるレンズを配置した
ことを特徴とする請求項１記載のカメラシステム。
【請求項３】
前記経路切り替え手段として、
前記固体撮像素子への入射経路を前記第１の経路と前記第２の経路とで切り替えるときに回動駆動される駆動鏡を配置した
ことを特徴とする請求項１または請求項２記載のカメラシステム。
【請求項４】
前記経路切り替え手段として配置した駆動鏡は、
所定の割合で光透過性を有する半反射鏡を用いて構成した
ことを特徴とする請求項３記載のカメラシステム。
【請求項５】
前記撮影者識別手段による撮影者の識別結果を基に、
当該撮影者毎に、マニュアル撮影時に設定した所定のマニュアル設定値情報を、外部メモリまたは内蔵メモリに格納するよう構成した
ことを特徴とする請求項１から請求項４のいずれかに記載のカメラシステム。
【請求項６】
前記所定のマニュアル設定値情報は、
撮像する画像の明るさ情報、露出情報、フォーカス情報、フラッシュ発光量情報の少なくとも１つを格納するよう構成した
ことを特徴とする請求項５記載のカメラシステム。
【請求項７】
電源投入時には、
当該撮影者毎に、予め前記外部メモリまたは内蔵メモリに格納した前記所定のマニュアル設定値情報を使用し、当該撮影者の個人的好みに特化したマニュアル設定値を求めて自動設定するよう構成した
ことを特徴とする請求項５または請求項６記載のカメラシステム。
【請求項８】
前記撮影者識別手段による撮影者の識別結果を基に、
当該撮影者毎に、
撮影者個人のフォルダを作成し、
当該撮影者毎の撮影画像を前記撮影者個人のフォルダに格納するよう構成した
ことを特徴とする請求項１から請求項７のいずれかに記載のカメラシステム。
【請求項９】
前記撮影者識別手段による撮影者の識別結果を基に、当該撮影者毎に撮影画像を格納するときには、
当該撮影者毎に、
ＥＸＩＦ規格フォーマットに則った撮影者個人のファイルを作成し、
当該撮影者毎の個人氏名および前記マニュアル設定値情報の少なくとも１つを、前記撮影者個人のファイルに格納するよう構成した
ことを特徴とする請求項８記載のカメラシステム。
【発明の詳細な説明】
【技術分野】
【０００１】
本発明は、被写体からの光を固体撮像素子で電気信号に変換した撮像信号を基に被写体に対応する画像データを生成して記録するカメラシステムに関するものである。
【背景技術】
【０００２】
従来のカメラシステムの一例として、固体撮像素子を搭載し、被写体からの光を固体撮像素子で電気信号に変換した撮像信号を基に、被写体に対応する画像データを生成して記録するカメラシステムを以下に説明する。
【０００３】
図１は従来のカメラシステムの一構成例を示すブロック図である。当該カメラシステムは、図１に示すように、レンズ１０１、半反射鏡１０２、全反射鏡１０３、ファインダ１０４、固体撮像素子１０５、固体撮像素子駆動部１０６、アナログ信号処理部１０７、アナログ／デジタル変換部１０８、ＬＳＩ部１０９、記録メディア部１１０、外部メモリ部１１１、シャッタ部１１７で構成される。
【０００４】
上記のようなカメラシステムにおいて、まず、入射される被写体光による像は、レンズ１０１からシャッタ部１１７を通過し、半反射鏡１０２によって、固体撮像素子１０５に入射される経路と、全反射鏡１０３を介してモニタ表示用のファインダ１０４に表示される経路の２つに分離される。固体撮像素子１０５に入射された光は、固体撮像素子駆動部１０６の駆動タイミング制御により、光電変換されアナログ信号として出力される。このアナログ信号に対して、アナログ信号処理部１０７によって増幅やノイズ除去等の処理を行い、アナログ／デジタル変換部１０８によって、アナログ信号処理部１０７からのアナログ信号をデジタル信号に変換する。
【０００５】
次に、ＬＳＩ部１０９は、デジタル信号処理部１１２、画像信号圧縮／伸張処理部１１３、画像データ記録部１１４、表示出力部１１５、ＣＰＵ１１６で構成され、外部メモリからなる記録メディア部１１０をワーク領域として使用し、入力されたデジタル信号を映像データおよび符号データに変換する。
【０００６】
すなわち、上記のようにしてデジタル信号に変換された撮像信号は、デジタル信号処理部１１２に入力され、輝度信号と色差信号の映像信号を生成して出力される。出力された映像信号を画像信号圧縮／伸張処理部１１３に入力し、圧縮率を求めるための符号量を見積り圧縮処理を行う。画像信号圧縮／伸張処理部１１３は、前記の圧縮率を元に映像信号を圧縮した後、符号データとして出力し、外部メモリ部１１１に記録する。同様にサムネイル符号データを作成し外部メモリ部１１１に記録する。
【０００７】
ＣＰＵ１１６の制御により、外部メモリ部１１１に記録された符号データは規格フォーマットに沿ったデータに加工され、画像データ記録部１１４へ入力し、画像データ記録部１１４は記録メディア部１１０に記録する。また、デジタル信号処理部１１２から出力された映像信号は、表示出力部１１５により表示出力される。なお、デジタル信号処理部１１２、画像信号圧縮／伸張処理部１１３、画像データ記録部１１４、表示出力部１１５はＣＰＵ１１６によって制御（点線で示す）される。
【０００８】
なお、本発明に関連する先行技術文献として例えば特許文献１がある。
【特許文献１】特開２０００−３５４１９３号公報
【発明の開示】
【発明が解決しようとする課題】
【０００９】
しかしながら上記のような従来のカメラシステムでは、以下のような問題点を有していた。
第１に、使用条件として、写真撮影する際に、たとえば明るさ、ＡＥ、ＡＦ距離、フラッシュ発光量などの撮影条件を個人的好みに特化したマニュアル設定によって写真を撮影するという場合を想定すると、その場合には、電源を投入し直すたびに、上記の撮影条件について、個人的好みの設定値を、ボタン操作などによって手動で再入力し直さなければならない。
【００１０】
また第２に、使用条件として、１台のカメラを複数の人が共用使用する場合で、写真撮影する際に、たとえば明るさ、ＡＥ、ＡＦ距離、フラッシュ発光量などの撮影条件を個人的好みに特化したマニュアル設定によって写真を撮影するという場合を想定すると、その場合には、それらの設定を他の撮影者と異なる設定値にしていると、他の人が撮影条件のマニュアル設定により撮影した後に、自分も撮影条件のマニュアル設定により撮影する場合には、ボタン操作などによって手動で自分の設定値を呼び出したり、再度設定し直したりしなければならない。
【００１１】
また第３に、使用条件として、１台のカメラを複数の人が共用使用する場合を想定すると、個々に撮影した後にそれらの撮像写真を格納する時には、各個人の撮像写真が同一のメモリにランダムな順番で格納されるため、各個人が自分の撮影した写真を識別して整理するのに時間がかかる。
【００１２】
また第４に、使用条件として、１台のカメラを複数の人が共用使用する場合を想定すると、各個人の撮像写真が同一のメモリに格納されるため、個々に撮影しそれらの撮像写真を格納した後に、それらの格納写真を再確認する時には、各個人の撮影した写真のセキュリティが保持されておらず、自分の撮像写真を、本人の許可なく他人が覗くことができたり、また他人の撮像写真を、覗く気がなくても覗いてしまうということが起こる。
【００１３】
本発明は、上記従来の問題点を解決するもので、写真を撮影する際に、個人的好みの撮影条件をマニュアル設定によって撮影する場合にも、それらの撮影条件を電源投入し直すたびにボタン操作などによって再入力することなく自動的に設定することができ、撮影条件を再設定し直す煩わしさを解消することができるとともに、１台のカメラを複数の人が共用使用する場合に、各個人が格納写真を再確認する時にも、それぞれ自分の撮影した写真を、他人が撮影した写真とすぐに区別することができ、また、撮影者毎の撮像写真に対するセキュリティを向上して、自分の撮像写真を本人の許可なく他人が覗くことを禁止することができるとともに、各個人が格納写真を再確認する時にも、誤って他人の撮像写真を見てしまうことが起きないようにすることができるカメラシステムを提供する。
【課題を解決するための手段】
【００１４】
上記の課題を解決するために、本発明の請求項１に記載のカメラシステムは、水平垂直方向に配列された複数の画素を有する固体撮像素子により、被写体からの光を電気的な撮像信号に変換し、その撮像信号を基に前記被写体に対応する画像データを生成して記録するカメラシステムであって、前記被写体からの光を撮影者が目視により確認可能とするとともに前記撮影者の網膜情報を有する光を取り込むファインダと、前記被写体からの光を前記固体撮像素子へ入射させる第１の経路または前記ファインダから取り込んだ前記撮影者の網膜情報を有する光を前記固体撮像素子へ入射させる第２の経路を切り替える経路切り替え手段と、前記経路切り替え手段の切り替えにより、前記撮影者の網膜情報を有する光に対応して前記固体撮像素子から得られた画像データに基づいて、前記撮影者を識別する撮影者識別手段とを備えたことを特徴とする。
【００１５】
また、本発明の請求項２に記載のカメラシステムは、請求項１記載のカメラシステムであって、前記第２の経路における前記ファインダから前記経路切り替え手段の間に、前記ファインダからの前記撮影者の網膜情報を有する光をフォーカス制御して前記固体撮像素子へ入射させるレンズを配置したことを特徴とする。
【００１６】
また、本発明の請求項３に記載のカメラシステムは、請求項１または請求項２記載のカメラシステムであって、前記経路切り替え手段として、前記固体撮像素子への入射経路を前記第１の経路と前記第２の経路とで切り替えるときに回動駆動される駆動鏡を配置したことを特徴とする。
【００１７】
また、本発明の請求項４に記載のカメラシステムは、請求項３記載のカメラシステムであって、前記経路切り替え手段として配置した駆動鏡は、所定の割合で光透過性を有する半反射鏡を用いて構成したことを特徴とする。
【００１８】
また、本発明の請求項５に記載のカメラシステムは、請求項１から請求項４のいずれかに記載のカメラシステムであって、前記撮影者識別手段による撮影者の識別結果を基に、当該撮影者毎に、マニュアル撮影時に設定した所定のマニュアル設定値情報を、外部メモリまたは内蔵メモリに格納するよう構成したことを特徴とする。
【００１９】
また、本発明の請求項６に記載のカメラシステムは、請求項５記載のカメラシステムであって、前記所定のマニュアル設定値情報は、撮像する画像の明るさ情報、露出情報、フォーカス情報、フラッシュ発光量情報の少なくとも１つを格納するよう構成したことを特徴とする。
【００２０】
また、本発明の請求項７に記載のカメラシステムは、請求項５または請求項６記載のカメラシステムであって、電源投入時には、当該撮影者毎に、予め前記外部メモリまたは内蔵メモリに格納した前記所定のマニュアル設定値情報を使用し、当該撮影者の個人的好みに特化したマニュアル設定値を求めて自動設定するよう構成したことを特徴とする。
【００２１】
また、本発明の請求項８に記載のカメラシステムは、請求項１から請求項７のいずれかに記載のカメラシステムであって、前記撮影者識別手段による撮影者の識別結果を基に、当該撮影者毎に、撮影者個人のフォルダを作成し、当該撮影者毎の撮影画像を前記撮影者個人のフォルダに格納するよう構成したことを特徴とする。
【００２２】
また、本発明の請求項９に記載のカメラシステムは、請求項８記載のカメラシステムであって、前記撮影者識別手段による撮影者の識別結果を基に、当該撮影者毎に撮影画像を格納するときには、当該撮影者毎に、ＥＸＩＦ規格フォーマットに則った撮影者個人のファイルを作成し、当該撮影者毎の個人氏名および前記マニュアル設定値情報の少なくとも１つを、前記撮影者個人のファイルに格納するよう構成したことを特徴とする。
【００２３】
以上により、写真撮影する際に、たとえば明るさ、ＡＥ、ＡＦ距離、フラッシュ発光量などの撮影条件を個人的好みに特化したマニュアル設定によって写真を撮影する場合には、撮影者識別部により、撮影者が撮影する際にファインダから第２の経路を経由して固体撮像素子に入射した撮影者の網膜情報に基づいて、撮影者を自動的に識別することにより、電源を投入し直すたびに、識別した撮影者ごとのマニュアル設定値を自動的に設定することができる。
【発明の効果】
【００２４】
以上のように本発明によれば、写真撮影する際に、たとえば明るさ、ＡＥ、ＡＦ距離、フラッシュ発光量などの撮影条件を個人的好みに特化したマニュアル設定によって写真を撮影する場合には、撮影者識別部により、撮影者が撮影する際にファインダから第２の経路を経由して固体撮像素子に入射した撮影者の網膜情報に基づいて、撮影者を自動的に識別することにより、電源を投入し直すたびに、識別した撮影者ごとのマニュアル設定値を自動的に設定することができる。
【００２５】
そのため、写真撮影する際に、たとえば明るさ、ＡＥ、ＡＦ距離、フラッシュ発光量などの撮影条件を個人的好みに特化したマニュアル設定によって写真を撮影する場合にも、それらの撮影条件を電源投入し直すたびにボタン操作などによって再入力することなく、上記の撮影条件について個人的好みの設定値を自動的に設定することができ、撮影者がマニュアル設定による撮影時に、個人的好みの撮影条件を再設定し直す煩わしさを解消することができる。
【００２６】
また、１台のカメラを複数の人が共用使用する場合で、写真撮影する際に、たとえば明るさ、ＡＥ、ＡＦ距離、フラッシュ発光量などの撮影条件を個人的好みに特化したマニュアル設定によって写真を撮影する場合には、撮影者識別部により、撮影者が撮影する際にファインダから第２の経路を経由して固体撮像素子に入射した撮影者の網膜情報に基づいて、撮影者を自動的に識別することにより、電源を投入し直すたびに、識別した撮影者ごとのマニュアル設定値を自動的に設定するとともに、自分がマニュアル撮影用の設定値を他の撮影者と異なる設定値にしているときでも、他の人がマニュアル設定により撮影した後に、自分もマニュアル設定により撮影する場合には、自分の設定値を自動で再設定することができる。
【００２７】
そのため、撮影者が、他の人がマニュアル設定により撮影した後に、個人的好みに特化したマニュアル設定による撮影時に、個人的好みの撮影条件を再設定し直す煩わしさを解消することができる。
【００２８】
また、１台のカメラを複数の人が共用使用する場合には、撮影者識別部により、撮影者が撮影する際にファインダから第２の経路を経由して固体撮像素子に入射した撮影者の網膜情報に基づいて、撮影者を自動的に識別することにより、各個人の撮像写真を自動的に識別した撮影者ごとに分別して専用のフォルダに格納することができる。
【００２９】
そのため、１台のカメラを複数の人が共用使用する場合に、各個人が格納写真を再確認する時にも、それぞれ自分の撮影した写真を、他人が撮影した写真とすぐに区別することができる。
【００３０】
また、撮像写真格納用の個人フォルダへのパスワード設定を個々に可能として、撮影者毎の撮像写真に対するセキュリティを向上することができ、自分の撮像写真を本人の許可なく他人が覗くことを禁止することができる。
【００３１】
また、撮影写真の格納と同時に、ＥＸＩＦ規格フォーマットに則ったファイルに個人氏名やマニュアル設定値情報を格納することにより、各個人が格納写真を再確認する時にも、誤って他人の撮像写真を見てしまうことが起きないようにすることができる。
【発明を実施するための最良の形態】
【００３２】
以下、本発明の実施の形態を示すカメラシステムについて、図面を参照しながら具体的に説明する。
図２は本実施の形態のカメラシステムの一構成例を示すブロック図である。このカメラシステムは、図２に示すように、レンズ２０１、駆動鏡２０２、全反射鏡２０３、ファインダ２０４、固体撮像素子２０５、固体撮像素子駆動部２０６、アナログ信号処理部２０７、アナログ／デジタル変換部２０８、ＬＳＩ部２０９、記録メディア部２１０、外部メモリ部２１１、シャッタ部２１７、撮影者識別部２１８、外部メモリ部２１９で構成される。
【００３３】
ここで、駆動鏡２０２、ファインダ２０４、撮影者識別部２１８、外部メモリ部２１９は、撮影者を識別するために新たに構成したものである。また、ファインダ２０４は、被写体からの光に基づく画像を表示して撮影者が被写体の画角を目視により確認可能にするための構造を有するとともに、撮影者が被写体の画角を確認するためにファインダ２０４を覗き込んだときに撮影者の網膜情報を有する光を取り込むための構造を有している。また、被写体からの光を固体撮像素子２０５へ入射させる第１の経路と、ファインダ２０４から取り込んだ撮影者の網膜情報を有する光を固体撮像素子２０５へ入射させる第２の経路とを、固体撮像素子２０５への入射経路として有しており、経路切り替え手段である駆動鏡２０２により、前記の第１の経路と第２の経路を切り替える。このように、駆動鏡２０２による固体撮像素子２０５への入射経路の切り替えにより、第２の経路に沿って入射した撮影者の網膜情報を有する光に対応して固体撮像素子２０５から得られた画像データに基づいて、撮影者識別部２１８により撮影者を識別する。
【００３４】
またここでは、駆動鏡２０２は、所定の割合で光を反射するとともに光透過性を有する半反射鏡を用い、固体撮像素子２０５への入射経路を第１の経路と第２の経路とで切り替えるときに回動駆動（ここでは９０°回動）される。
【００３５】
上記のカメラシステムにおいて、まず、入射される被写体光による像は、レンズ２０１を通過し、固体撮像素子駆動部２０６のタイミング制御によりシャッタ部２１７が開いているときに、駆動鏡２０２に照射される。駆動鏡２０２に照射された像は、固体撮像素子２０５に入射される経路と全反射鏡２０３を介してファインダ２０４に表示される経路の２つに分離される。固体撮像素子２０５に入射された被写体の像は、固体撮像素子駆動部２０６の駆動タイミング制御により、固体撮像素子２０５で光電変換されアナログ信号として出力される。固体撮像素子２０５からのアナログ信号に対して、アナログ信号処理部２０７によって増幅やノイズ除去等の処理を行い、アナログ／デジタル変換部２０８によってデジタル信号に変換する。
【００３６】
次に、ＬＳＩ部２０９は、デジタル信号処理部２１２、画像信号圧縮／伸張処理部２１３、画像データ記録部２１４、表示出力部２１５、ＣＰＵ２１６、撮影者識別部２１８で構成され、外部メモリ２１１をワーク領域として使用し、入力されたデジタル信号を映像データおよび符号データに変換する。
【００３７】
すなわち、上記のようにしてデジタル信号に変換された撮像信号は、デジタル信号処理部２１２に入力され、輝度信号と色差信号からなる映像信号を生成して出力される。出力された映像信号を画像信号圧縮／伸張処理部２１３に入力し、圧縮率を求めるための符号量を見積り圧縮処理を行う。画像信号圧縮／伸張処理部２１３は、前記の圧縮率を元に映像信号を圧縮した後に符号データとして出力し、外部メモリ部２１１に記録する。同様にサムネイル符号データを作成し、外部メモリ部２１１に記録する。
【００３８】
次に、ＣＰＵ２１６の制御により、外部メモリ部２１１に記録された符号データは、規格フォーマットに沿ったデータに加工され、画像データ記録部２１４へ入力し、画像データ記録部２１４は記録メディア部２１０に記録する。また、デジタル信号処理部２１２から出力された映像信号は、表示出力部２１５により表示出力される。なお、デジタル信号処理部２１２、画像信号圧縮／伸張処理部２１３、画像データ記録部２１４、表示出力部２１５、撮影者識別部２１８はＣＰＵ２１６によって制御される。
【００３９】
図３は本実施の形態のカメラシステムにおいて、図２で説明した撮像信号の処理後、シャッタ部３１７（図２のシャッタ部２１７と同一のもの）を閉口し、駆動鏡３０２（図２の駆動鏡２０２と同一のもの）を回動駆動するためのシステム構成図である。
【００４０】
図３に示すように、前記の撮像信号を取り込んだ後、ＣＰＵ３１６の制御により固体撮像素子駆動部３０６を介してシャッタ部３１７を閉口し、ファインダ３０４から取り込まれた撮影者の網膜情報の像は、全反射鏡３０３を介して、ＣＰＵ３１６の制御により回転動作させた駆動鏡３０２に照射され、固体撮像素子３０５に入射される。固体撮像素子３０５に入射された網膜情報の像は、固体撮像素子駆動部３０６の駆動タイミング制御により、光電変換されアナログ信号として出力される。固体撮像素子３０５から出力された網膜情報のアナログ信号に対して、アナログ信号処理部３０７によって増幅やノイズ除去等の処理を行い、このアナログ信号をアナログ／デジタル変換部３０８によってデジタル信号に変換する。
【００４１】
次に、ＬＳＩ部３０９は、デジタル信号処理部３１２、画像信号圧縮／伸張処理部３１３、画像データ記録部３１４、表示出力部３１５、ＣＰＵ３１６、撮影者識別部３１８で構成され、外部メモリ部３１１をワーク領域として使用し、入力されたデジタル信号を映像データおよび符号データに変換する。
【００４２】
すなわち、以上のようにしてデジタル信号に変換された網膜情報の撮像信号は、ＬＳＩ部３０９において、デジタル信号処理部３１２に入力され、輝度信号と色差信号からなる映像信号として生成されて出力される。デジタル信号処理部３１２から出力された映像信号は、表示出力部３１５に入力されると同時に、撮影者識別部３１８にも入力され、撮影者識別部３１８の識別結果である撮影者識別情報を外部メモリ３１９に記録する。
【００４３】
撮影者識別部３１８を用いて撮影者をその網膜情報により特定することで、例えば自動で撮影者ごとのマニュアル設定値を記録し、電源再投入時、前回撮影者のマニュアル値自動設定を行う機能の追加などの効果が期待できる。
【００４４】
なお、外部メモリ部３１９に関しては、電源が遮断されても記憶できる外部メモリを想定したものであるが、当メモリを必要としないシステムにおいては、当該メモリは必ず必要とするものではない。また、出力された撮影者識別情報は必ずそのまま記録するものではなく、画像信号圧縮／伸張処理部３１３に入力し符号データとして外部メモリ３１９に記録することもあり得る。
【００４５】
また、撮影者の網膜情報の像取り込み経路において、図４に示すように全反射鏡４０３と駆動鏡４０２の間に、フォーカス制御レンズ４０９を設け、網膜情報の像取り込み時にフォーカス制御を行う。なお、フォーカス制御レンズ４０９は、網膜情報の像取り込み時のフォーカス制御用に設けるものであるが、例えば固定焦点でフォーカス制御を行うシステムにおいては、当該レンズは必ずしも必要とするものではない。
【００４６】
本発明によると、撮影者が意識することなく撮影画像ごとに自動的に撮影者を特定して区別することが可能である。したがって、以下のような具体的応用例が考えられる。
（具体的応用例１）
図５は本実施の形態のカメラシステムにおける具体的応用例を示す模式図である。このカメラシステムは、図５に示すように、前記の撮影者認識部を備えたカメラ部５０１、撮影者ごとのマニュアル設定値を記録するマニュアル設定値記録メモリ部５０２で構成され、マニュアル設定値記録メモリ部５０２は、例えば、明るさ設定値記録メモリ部５０３、露出設定値記録メモリ部５０４、フォーカス設定値記録メモリ部５０５、フラッシュ発光量設定値記録メモリ部５０６で構成されている。
【００４７】
カメラ部５０１では、前記の撮影者識別部によって撮影者を識別し、識別した撮影者ごとに、取り込み画像の明るさを明るさ設定値記録メモリ部５０３に、取り込み画像の露出設定値を露出設定値記録メモリ部５０４に、記録時のフォーカス設定値をフォーカス設定値記録メモリ部５０５に、フラッシュ発光量設定値をフラッシュ発光量設定値記録メモリ部５０６に、それぞれ蓄積記録する。蓄積記録した情報から、撮影者ごとの個人的好みに特化したマニュアル設定値を計算し各メモリに記録する。
【００４８】
デジタルスチルカメラにおいて、使用していた撮影者を特定するための情報を記憶しておき、電源遮断後新たに電源を投入されたとき、前回の撮影者の設定値情報を各メモリ部から読み出し、その撮影者のマニュアル設定値を自動設定する。また別途撮影者ごとの設定値を撮影者が手動で変更することも可能とする。
（具体的応用例２）
図６は本実施の形態のカメラシステムにおける他の具体的応用例を示す模式図である。このカメラシステムは、図６に示すように、前記の撮影者認識部を備えたカメラ部６０１、撮影者ごとの個人画像を記録する画像記録用のメモリ部６０２で構成される。
【００４９】
カメラ部６０１では、前記の撮影者識別部によって撮影者を識別し、識別した撮影者ごとに、撮影画像をメモリ部６０２内の各個人ごとの撮影者用フォルダに格納する。このとき、撮影者個人フォルダは撮影者によってフォルダ名を更新し他人と区別することや、暗証番号やパスワードを設定しセキュリティ保護を実現することができる。
【００５０】
また、撮影画像のＥＸＩＦ規格フォーマットに則ったファイルに、撮影者ごとの個人氏名やマニュアル設定値を埋め込むことにより、例えば別のカメラやＰＣでその情報を使用することができる。
【００５１】
なお、上記のＥＸＩＦとは、Ｅｘｃｈａｎｇｅａｂｌｅ  Ｉｍａｇｅ  Ｆｉｌｅ  Ｆｏｒｍａｔの略で、ＥＸＩＦ規格とは、デジタルカメラ用の画像ファイルの規格であり、撮影された画像データに、撮影日時や絞り、シャッタースピードの設定値、サムネイル画像などの情報を付加してファイル保存する形式を規定し、標準化している。
【産業上の利用可能性】
【００５２】
本発明のカメラシステムは、写真撮影する際に、個人的好みの撮影条件をマニュアル設定によって撮影する場合にも、それらの撮影条件を電源投入し直すたびにボタン操作などによって再入力することなく自動的に設定することができ、撮影条件を再設定し直す煩わしさを解消することができるもので、固体撮像素子を搭載して被写体に対応する画像データを生成して記録するカメラシステムに適用できる。
【図面の簡単な説明】
【００５３】
【図１】従来のカメラシステムの構成例を示すブロック図
【図２】本発明の実施の形態のカメラシステムの構成例を示すブロック図
【図３】同実施の形態のカメラシステムにおける動作の説明図
【図４】同実施の形態のカメラシステムの別の構成例を示す部分ブロック図
【図５】同実施の形態のカメラシステムの具体的応用例を示す模式図
【図６】同実施の形態のカメラシステムの別の具体的応用例を示す模式図
【符号の説明】
【００５４】
１０１    レンズ
１０２    半反射鏡
１０３    全反射鏡
１０４    ファインダ
１０５    固体撮像素子
１０６    固体撮像素子駆動部
１０７    アナログ信号処理部
１０８    アナログ／デジタル変換部
１０９    ＬＳＩ部
１１０    記録メディア部
１１１    外部メモリ部
１１２    デジタル信号処理部
１１３    画像信号圧縮／伸張処理部
１１４    画像データ記録部
１１５    表示出力部
１１６    ＣＰＵ
１１７    シャッタ部
２０１    レンズ
２０２    駆動鏡
２０３    全反射鏡
２０４    ファインダ
２０５    固体撮像素子
２０６    固体撮像素子駆動部
２０７    アナログ信号処理部
２０８    アナログ／デジタル変換部
２０９    ＬＳＩ部
２１０    記録メディア部
２１１    外部メモリ部
２１２    デジタル信号処理部
２１３    画像信号圧縮／伸張処理部
２１４    画像データ記録部
２１５    表示出力部
２１６    ＣＰＵ
２１７    シャッタ部
２１８    撮影者識別部
２１９    外部メモリ部
３０１    レンズ
３０２    駆動鏡
３０３    全反射鏡
３０４    ファインダ
３０５    固体撮像素子
３０６    固体撮像素子駆動部
３０７    アナログ信号処理部
３０８    アナログ／デジタル変換部
３０９    ＬＳＩ部
３１０    記録メディア部
３１１    外部メモリ部
３１２    デジタル信号処理部
３１３    画像信号圧縮／伸張処理部
３１４    画像データ記録部
３１５    表示出力部
３１６    ＣＰＵ
３１７    シャッタ部
３１８    撮影者識別部
３１９    外部メモリ部
４０１    レンズ
４０２    駆動鏡
４０３    全反射鏡
４０４    ファインダ
４０５    固体撮像素子
４０６    固体撮像素子駆動部
４０７    ＣＰＵ
４０８    シャッタ部
４０９    フォーカス制御レンズ
５０１    カメラ部
５０２    メモリ部
５０３    明るさ設定値記録メモリ部
５０４    露出設定値記録メモリ部
５０５    フォーカス設定値記録メモリ部
５０６    フラッシュ発光量設定値記録メモリ部
６０１    カメラ部
６０２    メモリ部
【図１】
2007189470.tif 000003
【図２】
2007189470.tif 000004
【図３】
2007189470.tif 000005
【図４】
2007189470.tif 000006
【図５】
2007189470.tif 000007
【図６】
2007189470.tif 000008